(57)【特許請求の範囲】
【請求項１】
給水管が入り側に給湯管が出側にそれぞれ接続された第１の熱交換用水管と、浴槽に通じる第１風呂配管が入り側に前記浴槽に通じる第２風呂配管が出側にそれぞれ接続された第２の熱交換用水管とを備えた一缶二水路型の熱交換器と、
前記熱交換器を加熱する加熱装置と、
前記給湯管と前記第１風呂配管を接続する連結管と、
前記連結管に設けられた開閉弁と、
前記第２風呂配管に設けられた温度センサと、
前記第１の熱交換用水管の出側の水温を検出する第２温度センサと、
前記給水管の通水量を検出する水量センサと、
前記開閉弁を開いた状態で前記加熱装置による加熱を行うことで給水を昇温して前記浴槽に流し込む注湯動作を制御する制御部と、
を有し、
前記制御部は、前記注湯動作において、前記加熱装置で加えた熱量と、その熱量のうちの前記第１の熱交換用水管による吸熱割合を示す吸熱分配比と、前記第２温度センサの検出温度と、前記水量センサの検出した水量とに基づいて給水温度を算出し、該給水温度と前記検出した水量と注湯設定温度とに基づいて前記加熱装置の加熱量を制御すると共に、前記温度センサの検出温度が前記給湯管からの湯が前記第２の熱交換用水管でさらに加熱された場合に対応する温度か否かに基づいて、前記算出に使用する吸熱分配比を変更する
ことを特徴とする一缶二水路型風呂給湯器。
【請求項２】
前記制御部は、前記温度センサの検出温度が前記給湯管からの湯が前記第２の熱交換用水管でさらに加熱された場合に対応する温度より低い温度の場合は、前記第２風呂配管を通じて浴槽へ注湯されていない場合に対応する第１の吸熱分配比を前記算出に使用し、前記温度センサの検出温度が前記給湯管からの湯が前記第２の熱交換用水管でさらに加熱された場合に対応する温度の場合は、前記給水温度の算出に前記第１の吸熱分配比より前記第１の熱交換用水管による吸熱割合が低い第２の吸熱分配比を前記算出に使用する
ことを特徴とする請求項１に記載の一缶二水路型風呂給湯器。
【請求項３】
前記制御部は、前記第２の吸熱分配比を使用して前記算出を行って得た給水温度が所定の適正温度より高い場合は、前記加熱量を導出する際の給水温度の算出に、前記第１の吸熱分配比と前記第２の吸熱分配比との間の第３の吸熱分配比を使用する
ことを特徴とする請求項２に記載の一缶二水路型風呂給湯器。
【請求項４】
前記第２の吸熱分配比は、給水量が十分ある場合に対応した値である
ことを特徴とする請求項２または３に記載の一缶二水路型風呂給湯器。
【請求項５】
前記制御部は、前記水量センサの検出する給水量が所定量以上の場合は、給水温度の算出に使用する吸熱分配比を所定値に固定して前記加熱量の制御を行う
ことを特徴とする請求項１乃至４のいずれか１つに記載の一缶二水路型風呂給湯器。
【請求項６】
前記第３の吸熱分配比を前記算出に使用した場合は、以後、吸熱分配比を前記第３の吸熱分配比に固定して前記算出および前記加熱量の制御を行う
ことを特徴とする請求項３に記載の一缶二水路型風呂給湯器。
【請求項７】
給水管が入り側に給湯管が出側にそれぞれ接続された第１の熱交換用水管と、浴槽に通じる第１風呂配管が入り側に前記浴槽に通じる第２風呂配管が出側にそれぞれ接続された第２の熱交換用水管とを備えた一缶二水路型の熱交換器と、
前記熱交換器を加熱する加熱装置と、
前記給湯管と前記第１風呂配管を接続する連結管と、
前記連結管に設けられた開閉弁と、
前記第２風呂配管に設けられた温度センサと、
前記開閉弁を開いた状態で前記加熱装置による加熱を行うことで給水を昇温して前記浴槽に流し込む注湯動作を制御する制御部と、
を有し、
前記制御部は、前記注湯動作の実行中に、前記温度センサの検出温度が、注湯の設定温度未満の場合に、前記第２風呂配管を通じて浴槽へ注湯されていないと判定する
ことを特徴とする一缶二水路型風呂給湯器。
【発明の詳細な説明】
【技術分野】
【０００１】
本発明は、風呂の注湯・追い焚き機能および給湯機能を備えた一缶二水路型風呂給湯器に関する。
【背景技術】
【０００２】
一般に、給湯器の温度制御には、フィードフォワード・フィードバック制御が用いられる。フィードフォワード制御では、給水温度と設定温度と水量と熱効率などから設定温度の湯を出すために必要な熱量（フィードフォワード（ＦＦ）量）を求める。しかし、流量センサのばらつきなどにより必要な熱量の真値は求められないため、その誤差分を補正すべくフィードバック制御が併用される（特許文献１参照）。
【０００３】
フィードフォワード制御での熱量ＨＡは、以下の式１により求まる。
ＨＡ＝Ｈout×１５００／η＝（ＴＡ-ＴＮ）×１５００／（η×２５）  …式１
ここで、Ｈoutは加熱能力（Output）[号]、ηは熱交換器の熱効率、ＴＡは設定温度、ＴＮは給水温度、である。
【０００４】
式１の関係を利用すれば、温度センサで検出される給湯温度Ｔoutが設定温度に安定した状態では、以下の式２に示すように、給水温度を逆算で推定することができる。
【０００５】
ＴＷ＝Ｔout−(Ｈout×２５/ＱＴ)  …式２
ここで、ＴＷは、実測の給湯温度Ｔout、Ｈout、流量センサの検出する水量ＱＴとから逆算で求めた推定給水温度である。Ｈoutは式１に示すようにＨＡと熱効率ηとから求まる値である。
【０００６】
実際には、Ｈoutに係る熱効率ηは給水温度や熱量（燃焼ガス量）に依存して変動する。しかし、それらと熱効率との関係は器具固有なので、予め測定して記憶しておけば、適正な値の熱効率を代入して給水温度を逆算できるので、給水温度検出用の温度センサ（サーミスタ）の取り付けを省略した給湯器も考案されている（特許文献２参照）。
【先行技術文献】
【特許文献】
【０００７】
【特許文献１】実公昭６３−４２２５９号公報
【特許文献２】特開２００１−０１２８０１号公報
【発明の概要】
【発明が解決しようとする課題】
【０００８】
風呂の追い焚き時に熱交換器を経由して浴槽水を循環させるための追い焚き循環経路は、浴槽水を取り込む風呂戻り管と、熱交換器内で熱交換を行って浴槽水を加熱する追い焚き用水管と、加熱後の浴槽水を浴槽に戻す風呂往き管とで構成される。
【０００９】
ところで、一缶二水路型の風呂給湯器では、給水を加熱するための給湯用水管と追い焚き用水管とが共通の熱交換器を通っている。一缶二水路型の風呂給湯器で浴槽へ湯張りする場合、給湯用水管を通じて給水を加熱して得た湯を、連結管を通じて風呂戻り管に流し込み、追い焚き循環経路を通じて浴槽へ注湯する。通常は、風呂戻り管と風呂往き管の双方を通じて浴槽への注湯が行われ、このうち風呂往き管側を流れる湯は、熱交換器の追い焚き用水管でさらに加熱されてから浴槽に注がれる。
【００１０】
このような一缶二水路型の風呂給湯器においても、給湯用水管での吸熱量と追い焚き用水管での吸熱量との比である吸熱分配比を加味すれば、前述の（式２）を適用して推定の給水温度を求めることができる。すなわち、給湯用水管側での吸熱分配比をＲａ（たとえば、０．５）とすれば、
ＴＷ＝Ｔout-(Ｈout×２５×Ｒａ/ＱＴ)  …式３
で求めることができる。
【００１１】
ここで、注湯中の風呂往き管側の流量と風呂戻り管側の流量との比が一定であれば、Ｒａを固定値にして、上記式３の演算を行うことができる。
【００１２】
しかし、風呂往き管側は、風呂戻り管側に比べて、熱交換器の追い焚き用水管を経由する分だけ配管抵抗が大きくなるので、給水量が毎分６リットル以下のような低水量時には、風呂往き管側の流量が通常（給水量が十分あるとき）より減少したり、ゼロになったりする。このように低水量時には風呂往き管と風呂戻り管との流量比が一定せず、吸熱分配比が不明になるので、式３を適用して給水温度を逆算で求めてＦＦ加熱量（燃焼量）を制御することができなかった。
【００１３】
仮に、給水量が十分あるときの流量比に対応した固定値の吸熱分配比Ｒａをそのまま使用して、低水量時の給水温度を式３により逆算で求めると、風呂戻り管側の流量がゼロまたは想定流量より少ない場合には、給水温度が実際より高く算出される。すなわち、風呂往き管側に湯が流れない状態では追い焚き用水管ではほとんど吸熱されないので、実際の吸熱分配比（給湯用水管側の吸熱比）は「１」に近くなる。それにも係らず固定の吸熱分配比Ｒａ（たとえば、０．５）でＴＷを逆算するので、実際よりも給水温度が高いと勘違いしてしまう。
【００１４】
このため、設定温度の湯を出すために必要な加熱量（ＦＦ量）も少なく算出され、場合によってはバーナーを消火した状態で湯張り（実際には水張り）が行われる。その結果、浴槽に流れ込む湯の温度が設定温度よりかなり低くなり、湯張り後に行われる、浴槽内の湯を設定温度まで昇温するための追い焚き動作に長い時間を要してしまうという問題があった。
【００１５】
なお、風呂往き管の流量を検出するために専用のフローセンサを設けることは、機器のコストが上昇するばかりでなく、浴槽水に混在する髪の毛などのゴミが詰まり易いため、避けたい。
【００１６】
また、吸熱分配比からＴＷを逆算で求める場合に限らず、たとえば、浴槽の水位をより的確に検出等するために、風呂往き管側の湯の流れ具合を注湯動作中に把握したいといった要請がある。
【００１７】
本発明は、上記の問題を解決しようとするものであり、風呂往き管を通じて注湯されているか否かを専用の流量センサなしに検出することのできる一缶二水路型風呂給湯器を提供することを目的としている。また、逆算で求めた推定の給水温度からＦＦ制御の加熱量を求めて湯張りする場合の湯温が低給水量の時に設定温度より極端に低くなって湯張り後の追い焚き動作が長時間になることを防止することのできる一缶二水路型風呂給湯器を提供することを目的としている。
【課題を解決するための手段】
【００１８】
かかる目的を達成するための本発明の要旨とするところは、次の各項の発明に存する。
【００１９】
［１］給水管が入り側に給湯管が出側にそれぞれ接続された第１の熱交換用水管と、浴槽に通じる第１風呂配管が入り側に前記浴槽に通じる第２風呂配管が出側にそれぞれ接続された第２の熱交換用水管とを備えた一缶二水路型の熱交換器と、
前記熱交換器を加熱する加熱装置と、
前記給湯管と前記第１風呂配管を接続する連結管と、
前記連結管に設けられた開閉弁と、
前記第２風呂配管に設けられた温度センサと、
前記第１の熱交換用水管の出側の水温を検出する第２温度センサと、
前記給水管の通水量を検出する水量センサと、
前記開閉弁を開いた状態で前記加熱装置による加熱を行うことで給水を昇温して前記浴槽に流し込む注湯動作を制御する制御部と、
を有し、
前記制御部は、前記注湯動作において、前記加熱装置で加えた熱量と、その熱量のうちの前記第１の熱交換用水管による吸熱割合を示す吸熱分配比と、前記第２温度センサの検出温度と、前記水量センサの検出した水量とに基づいて給水温度を算出し、該給水温度と前記検出した水量と注湯設定温度とに基づいて前記加熱装置の加熱量を制御すると共に、前記温度センサの検出温度が前記給湯管からの湯が前記第２の熱交換用水管でさらに加熱された場合に対応する温度か否かに基づいて、前記算出に使用する吸熱分配比を変更する
ことを特徴とする一缶二水路型風呂給湯器。
【００２０】
上記発明では、加熱装置で加えた熱量と、その熱量のうちの第１の熱交換用水管による吸熱割合を示す吸熱分配比と、第２温度センサの検出温度と、水量センサの検出した水量とに基づいて給水温度を算出し、該給水温度と検出される水量と注湯設定温度とに基づいて加熱装置の加熱量をＦＦ制御する。そして、温度センサの検出温度が給湯管からの湯が第２の熱交換用水管でさらに加熱された場合に対応する温度か否かに基づいて、第２風呂配管に湯が流れているか否かを判定し、該判定結果に基づき、給水温度の算出に使用する吸熱分配比を変更する。
【００２１】
すなわち、一缶二水路型の熱交換器の場合、第２風呂配管を流れる湯は第２の熱交換用配管でもさらに加熱されるので、第１風呂配管を流れる湯の温度より高温になる。一方、第２風呂配管に湯が流れない場合は、温度センサは空の管内の温度を検知するため、器具内の空気に近い温度を検出する。そこで、温度センサの検出温度に基づいて、第２風呂配管に湯が流れているか否かを判定してその判定結果に応じた吸熱分配比を給水温度の算出に使用する。これにより、逆算で求める給水温度が実際の給水温度に近づき、ＦＦ制御の加熱量が適正化され、低温で注湯されることが回避される。
【００２２】
［２］前記制御部は、前記温度センサの検出温度が前記給湯管からの湯が前記第２の熱交換用水管でさらに加熱された場合に対応する温度より低い温度の場合は、前記第２風呂配管を通じて浴槽へ注湯されていない場合に対応する第１の吸熱分配比を前記算出に使用し、前記温度センサの検出温度が前記給湯管からの湯が前記第２の熱交換用水管でさらに加熱された場合に対応する温度の場合は、前記給水温度の算出に前記第１の吸熱分配比より前記第１の熱交換用水管による吸熱割合が低い第２の吸熱分配比を前記算出に使用する
ことを特徴とする［１］に記載の一缶二水路型風呂給湯器。
【００２３】
上記発明では、温度センサの検出温度が給湯管からの湯が第２の熱交換用水管でさらに加熱された場合に対応する温度より低い温度の場合は、第２風呂配管を通じて浴槽へ注湯されていないと判定し、これに対応する第１の吸熱分配比を使用して、給水温度を算出する。一方、温度センサの検出温度が給湯管からの湯が第２の熱交換用水管でさらに加熱された場合に対応する温度の場合は、第２風呂配管を通じて浴槽へ注湯されていると判定し、給水温度の算出に、第１の吸熱分配比より第１の熱交換用水管による吸熱割合が低い第２の吸熱分配比を使用する。
【００２４】
［３］前記制御部は、前記第２の吸熱分配比を使用して前記算出を行って得た給水温度が所定の適正温度より高い場合は、前記加熱量を導出する際の給水温度の算出に、前記第１の吸熱分配比と前記第２の吸熱分配比との間の第３の吸熱分配比を使用する
ことを特徴とする［２］に記載の一缶二水路型風呂給湯器。
【００２５】
上記発明では、第２の吸熱分配比を使用して算出した給水温度が所定の適正温度より高い場合は、第２の吸熱分配比で想定している流量比より第２風呂配管に流れる湯の量が少ないと判定できる。そこで、第１の吸熱分配比と第２の吸熱分配比との間の第３の吸熱分配比を、加熱量を導出する際の給水温度の算出に使用する。
【００２６】
［４］前記第２の吸熱分配比は、給水量が十分ある場合に対応した値である
ことを特徴とする［２］または［３］に記載の一缶二水路型風呂給湯器。
【００２７】
すなわち、第１の吸熱分配比は第２風呂配管に通水が無い場合に対応する値であり、第２の吸熱分配比は給水量が十分ある場合、すなわち、第２風呂配管に、たとえば、５割程度の湯が流れている場合に対応する値である。第３の吸熱分配比はこれらの間の値、つまり、第２風呂配管に少量の湯が流れている場合に対応する値である。
【００２８】
［５］前記制御部は、前記水量センサの検出する給水量が所定量以上の場合は、給水温度の算出に使用する吸熱分配比を所定値に固定して前記加熱量の制御を行う
ことを特徴とする［１］乃至［４］のいずれか１つに記載の一缶二水路型風呂給湯器。
【００２９】
上記発明では、給水量が少ない場合のみ、吸熱分配比を動的に変更して給水温度の算出および加熱量の制御を行う。一方、給水量が所定量以上で十分あるときは、吸熱分配比をその状態に対応する固定値にして給水温度の算出および加熱量の制御を行う。
【００３０】
［６］前記第３の吸熱分配比を前記算出に使用した場合は、以後、吸熱分配比を前記第３の吸熱分配比に固定して前記算出および前記加熱量の制御を行う
ことを特徴とする［３］に記載の一缶二水路型風呂給湯器。
【００３１】
［７］給水管が入り側に給湯管が出側にそれぞれ接続された第１の熱交換用水管と、浴槽に通じる第１風呂配管が入り側に前記浴槽に通じる第２風呂配管が出側にそれぞれ接続された第２の熱交換用水管とを備えた一缶二水路型の熱交換器と、
前記熱交換器を加熱する加熱装置と、
前記給湯管と前記第１風呂配管を接続する連結管と、
前記連結管に設けられた開閉弁と、
前記第２風呂配管に設けられた温度センサと、
前記開閉弁を開いた状態で前記加熱装置による加熱を行うことで給水を昇温して前記浴槽に流し込む注湯動作を制御する制御部と、
を有し、
前記制御部は、前記注湯動作の実行中に、前記温度センサの検出温度が、注湯の設定温度未満の場合に、前記第２風呂配管を通じて浴槽へ注湯されていないと判定する
ことを特徴とする一缶二水路型風呂給湯器。
【００３２】
一缶二水路型の熱交換器の場合、第２風呂配管を流れる湯は第２の熱交換用配管でもさらに加熱されるので、第１風呂配管を流れる湯の温度より高温になる。一方、第２風呂配管に湯が流れない場合は、温度センサは空の管内の温度を検知するため、器具内の空気に近い温度を検出する。そこで、温度センサの検出温度に基づいて、第２風呂配管に湯が流れているか否かを判定する。
【発明の効果】
【００３３】
本発明に係る一缶二水路型風呂給湯器によれば、風呂往き管を通じて注湯されているか否かを専用の流量センサなしに検出することができる。また、逆算で求めた推定の給水温度からＦＦ制御の加熱量を求めて湯張りする場合の湯温が低水量時に設定温度より極端に低くなることが防止され、湯張り後の追い焚き時間が短縮される。
【図面の簡単な説明】
【００３４】
【図１】本発明の実施の形態に係る一缶二水路型風呂給湯器の概略構成を示す説明図である。
【図２】搬送モードと、搬送状態と、推定吸熱分配比ＲＡ、推定流量比ＱＡとの対応関係を示す搬送モード表である。
【図３】搬送モードの判定条件を示す判定条件表である。
【図４】一缶二水路型風呂給湯器の湯張り動作を示す流れ図である。
【図５】図４の続きの動作を示す流れ図である。
【図６】第２の実施の形態における一缶二水路型風呂給湯器の湯張り動作であって図４の続きの部分を示す流れ図である。
【発明を実施するための形態】
【００３５】
以下、図面に基づき本発明の実施の形態を説明する。
【００３６】
図１は、本発明の実施の形態に係る一缶二水路型風呂給湯器１０の概略構成を示している。一缶二水路型風呂給湯器１０は、給湯機能、浴槽へ湯張りする湯張り機能、浴槽内の湯や水を設定温度へ昇温させる追い焚き機能などを備えている。
【００３７】
一缶二水路型風呂給湯器１０は、給水管１１が入り側に給湯管１２が出側にそれぞれ接続された給湯用水管（第１の熱交換用水管）１４ａと、浴槽３に通じる風呂往き管１６が出側に、該浴槽３に通じる風呂戻り管１７が入り側にそれぞれ接続された追い焚き用水管（第２の熱交換用水管）１４ｂとを備えた一缶二水路型の熱交換器１４を備えている。
【００３８】
熱交換器１４の下方には該熱交換器１４を加熱する加熱装置としてのバーナー部１８が配置されている。バーナー部１８にはガス供給管１９が接続されると共に、該ガス供給管１９の途中にはガスの供給／遮断を切り替えるガス弁２１と、バーナー部１８へ供給するガス量を制御信号に応じて調整する比例弁２２が設けてある。バーナー部１８は、点火装置や炎を確認するためのフレームロッドなどを備えている。
【００３９】
給湯管１２の途中の所定箇所と風呂往き管１６の途中の所定箇所とは、連結管２４によって接続されており、該連結管２４の途中には、連結管２４の閉鎖／開通を切り替える注湯電磁弁２５が設けてある。また、連結管２４の接続箇所より上流側の給湯管１２の途中には、略閉鎖状態から全開状態まで開度を調整可能な水量サーボ２６が設けてある。
【００４０】
さらに、一缶二水路型風呂給湯器１０は、給水管１１から分岐し、水量サーボ２６より上流側の給湯管１２に合流・接続されたバイパス管２７を備えると共に、該バイパス管２７の途中に、閉鎖状態から全開状態まで開度を調整可能なバイパス調整弁２８を備えている。このバイパス管２７の分岐箇所より下流側の給水管１１には、当該給水管１１内の水の流量検出する流量センサ（フローセンサとも呼ぶ）２９が設けてある。
【００４１】
連結管２４の接続箇所より追い焚き用水管１４ｂの入り側寄りの風呂戻り管１７の途中には、浴槽３内の水を、風呂戻り管１７と追い焚き用水管１４ｂと風呂往き管１６からなる追い焚き循環経路を通じて循環させるための循環ポンプ３１が設けてある。また、連結管２４の接続箇所より浴槽３側の風呂戻り管１７の途中には、循環ポンプ３１を作動させた際に水が実際に循環しているか否かを検出する流水スイッチ３２が設けてある。
【００４２】
給湯用水管１４ａの出口近傍の給湯管１２には、管内の水温を検出する熱交温度センサ４１が設けてある。また、風呂往き管１６の途中には、管内の温度を検出する風呂往き温度センサ４２が設けてある。連結管２４の接続箇所と流水スイッチ３２との間の風呂戻り管１７には、管内の温度を検出する風呂戻り温度センサ４３が設けてある。なお、給水管１１から流入する給水の温度を検出する温度センサは取り付けられていない。本例の一缶二水路型風呂給湯器１０では給水温度を逆算で推定するようになっている。
【００４３】
このほか、一缶二水路型風呂給湯器１０は、当該一缶二水路型風呂給湯器１０の動作全体を制御する制御部４５と、操作パネル４８を備えている。操作パネル４８は、給湯温度や風呂温度の設定、湯張り動作や追い焚き動作の開始指示、電源のオン／オフなど各種の操作をユーザから受けるスイッチ類、および動作状態や設定温度などを表示する表示部などで構成される。操作パネル４８は、通常、浴室壁面や台所などに設置される。
【００４４】
制御部４５は、ＣＰＵ（Central Processing Unit）と、該ＣＰＵが実行するプログラムや固定データなどが記憶されたフラッシュＲＯＭ（Read Only Memory）と、ＣＰＵがプログラムを実行する際に各種情報を一時記憶するＲＡＭ（Random Access Memory）などを主要部とする回路で構成されている。制御部４７には、各種センサ（流量センサ２９、流水スイッチ３２、熱交温度センサ４１、風呂往き温度センサ４２、風呂戻り温度センサ４３）、バーナー部１８、弁類（ガス弁２１、比例弁２２、注湯電磁弁２５、水量サーボ２６、バイパス調整弁２８）、循環ポンプ３１、操作パネル４８などが接続されている。
【００４５】
次に、一缶二水路型風呂給湯器１０による湯張り動作について説明する。湯張り動作は、浴槽３へ湯を注ぎ込む注湯動作と、注湯動作完了後に浴槽３内の湯を設定温度まで昇温する追い焚き動作とで構成される。
【００４６】
注湯動作では、バーナー部１８を燃焼させた状態で注湯電磁弁２５および水量サーボ２６を開くことにより、熱交換器１４の給湯用水管１４ａを通じて加熱した給水を給湯管１２から連結管２４を経て風呂戻り管１７へ送り出し、追い焚き循環経路（風呂戻り管１７と風呂往き管１６）を通じて浴槽３へ流し込むようになっている。
【００４７】
また、逆算により推定給水温度を求め、該推定給水温度に基づいて、必要なＦＦ加熱量（目標加熱量ＨＡ）を算出して制御するようになっている。
【００４８】
推定給水温度ＴＷは、
ＴＷ＝Ｔout−(Ｈout×２５×ＲＡ/ＱＴ)    …式４
で求める。そして、目標加熱量ＨＡは、
ＨＡ＝Ｈout×１５００／η＝（ＴＡ-ＴＷ）×ＱＴ×１５００／（η×２５）  …式５
で求める。
【００４９】
ここで、Ｈoutは加熱能力（Output）[号]、Ｔoutは実測の給湯温度（熱交温度センサ４１の検出温度）、ＲＡは給湯用水管１４ａ側の推定の吸熱分配比、ＱＴは流量センサ２９の検出する水量、ＴＡは設定温度、ηは熱交換器１４の熱効率である。なお、設定温度の湯を安定して注湯する安定状態では、Ｔout＝ＴＡ、になる。
【００５０】
式４で推定給水温度ＴＷを算出するためには、ＲＡとして適正な値を使用する必要がある。しかし、低水量で注湯する場合は、風呂戻り管１７側を流れる湯量と風呂往き管１６側を流れる湯量の比（流量比）が変動するため、それに応じて実際の吸熱分配比も変動する。
【００５１】
そこで、本実施の形態に係る一缶二水路型風呂給湯器１０では、注湯動作時における風呂戻り管１７と風呂往き管１６との湯の搬送状態（搬送モード）を判定し、その判定結果に応じたＲＡを使用してＴＷを逆算するようになっている。
【００５２】
図２は、搬送モードと、搬送状態と推定吸熱分配比ＲＡ、推定流量比ＱＡとの対応関係を示す搬送モード表６０である。搬送モードは、両モードと、片モード１と、片モード２の３つに区分する。両モードは、給水量が十分あって、風呂往き管１６と風呂戻り管１７の双方にほぼ偏り無く湯が流れている状態である。本例では、両モードは、風呂往き管１６と風呂戻り管１７に同量の湯が流れる搬送状態とする。両モードでの推定吸熱分配比（全体を１とした場合の給湯側の吸熱比）ＲＡは０．５、推定流量比（全体を１とした場合に風呂戻り管１７側に流れる割合）ＱＡは０．５とする。
【００５３】
片モード１は、風呂往き管１６に全く湯が流れていない搬送状態である。片モード１での推定吸熱分配比ＲＡは１、推定流量比ＱＡは１とする。片モード２は、風呂往き管１６に小量の湯が流れている搬送状態である。片モード２での推定吸熱分配比ＲＡは０．８、推定流量比ＱＡは０．９５とする。
【００５４】
図３は、搬送モードの判定条件を示す判定条件表７０である。風呂往き管１６内の温度を検出する風呂往き温度センサ４２の検出温度が、給湯管１２からの湯が追い焚き用水管１４ｂでさらに加熱された場合に対応する温度より低い場合は、片モード１（風呂往き管１６に湯が流れていない搬送状態）と判定する。ここでは、風呂往き温度センサ４２の検出温度が設定温度ＴＡ未満の場合は、片モード１と判定する。
【００５５】
風呂往き温度センサ４２の検出温度が、給湯管１２からの湯が追い焚き用水管１４ｂでさらに加熱された場合に対応する温度（ここでは設定温度ＴＡ以上とする）であって、両モードの推定吸熱分配比ＲＡを使用して式４で逆算して得た推定給水温度ＴＷが適正温度（たとえば、注湯温度が設定温度ＴＡ以下）の場合は両モードと判定する。
【００５６】
風呂往き温度センサ４２の検出温度が給湯管１２からの湯が追い焚き用水管１４ｂでさらに加熱された場合に対応する温度（ここでは設定温度ＴＡ以上とする）であって、両モードの推定吸熱分配比ＲＡを使用して式４で逆算して得た推定給水温度ＴＷが適正温度より高い場合（たとえば、注湯温度が設定温度ＴＡ以上の場合）は、風呂往き管１６に僅かの湯が流れている片モード２と判定する。
【００５７】
注湯動作において、風呂戻り管１７を流れる湯は熱交換器１４の給湯用水管１４ａでのみ加熱されて浴槽３へ注がれる。一方、風呂往き管１６を流れる湯は、熱交換器１４の給湯用水管１４ａで加熱された後、さらに、追い焚き用水管１４ｂでも加熱される。そのため、風呂往き管１６を流れる湯は、風呂戻り管１７側を流れる湯より高温になる。
【００５８】
たとえば、風呂戻り管１７側から３７℃、風呂往き管１６側から４３℃の湯を流量比５：５で注湯することで、浴槽３内ではこれらが混合されて設定温度の４０℃となる。
【００５９】
このように、風呂往き管１６に流れる湯の温度は設定温度より高くなるので、風呂往き管１６に湯が流れていれば風呂往き温度センサ４２の検出温度は設定温度より高くなる。一方、風呂往き管１６に湯が流れない場合には、風呂往き温度センサ４２の検出する風呂往き管１６内の温度は、一缶二水路型風呂給湯器１０内の温度（器具内の空気）と同程度になるので、風呂の設定温度より低くなる。
【００６０】
そこで、図３に示すように、風呂往き温度センサ４２の検出温度が設定温度より低い場合は、風呂往き管１６に通水なし（片モード１）と判定する。
【００６１】
一方、風呂往き温度センサ４２の検出温度が設定温度以上の場合は、風呂往き管１６に通水ありと判定する。ただし、風呂往き管１６内の流量が少ない場合でも、湯が流れてさえいれば、風呂往き温度センサ４２の検出温度は設定温度より高くなる。そこで、両モードの推定吸熱分配比ＲＡを使用して式４で逆算して得た推定給水温度ＴＷが、適正温度（設定温度以下、あるいは「設定温度＋所定のマージン温度」以下）か否かにより、風呂往き管１６に十分な流量のある両モードであるか、流量が僅かな片モード２かを判別する。
【００６２】
すなわち、風呂往き管１６と風呂戻り管１７に通常の流量比（たとえば、５：５）で湯が流れていると仮定した場合の吸熱分配比（両モードのＲＡ）を用いて推定給水温度ＴＷを式４から逆算で求め、この推定給水温度ＴＷが異常に高い（たとえば、注湯温度が設定温度を超える）場合は、仮定した吸熱分配比ＲＡが間違っていたと判定する。つまり、両モードではなく片モード２であると判定する。
【００６３】
次に、一缶二水路型風呂給湯器１０の湯張り動作を図４、図５に示す流れ図に基づいて説明する。
【００６４】
一缶二水路型風呂給湯器１０の制御部４５は、操作パネル４８を通じて利用者から風呂の湯張り動作の実行指示（設定温度ＴＡの指定を含む）を受けると、図４、図５に示す処理を開始する。
【００６５】
まず、制御部４５は、注湯電磁弁２５を開き、水量サーボ２６の開度を所定の最小開度に設定し（ステップＳ１０１）、バーナー部１８を最低加熱量で点火する（ステップＳ１０２）。
【００６６】
次に制御部４５は、前回の給湯時に求めた最終の推定給水温度ＴＷを記憶部から読み出す（ステップＳ１０３）。この推定給水温度ＴＷと設定温度ＴＡと、当該一缶二水路型風呂給湯器１０における最大加熱量Ｈmax［Ｋｃａｌ／ｈ］とから、以下の式６により、ターゲット水量ＱＴＡ［リットル／分］を求める（ステップＳ１０４）。
【００６７】
ＱＴＡ＝Ｈmax×η×２５/（１５００×(ＴＡ−ＴＷ)）  …式６
続いて、制御部４５は、推定給水温度ＴＷと流量センサ２９の検出水量ＱＴとから設定温度ＴＡの湯を注湯するための目標加熱量ＨＡを前述の式５にて算出し、該算出した目標加熱量ＨＡでバーナー部１８を燃焼させて注湯する（ステップＳ１０５）。
【００６８】
続いて、流量センサ２９の検出水量ＱＴがターゲット水量ＱＴＡ未満か否かを調べる。流量センサ２９の検出水量ＱＴがターゲット水量ＱＴＡ未満の場合は（ステップＳ１０６；Ｙｅｓ）、水量サーボ２６が全開でなければ（ステップＳ１０７；Ｎｏ）、水量サーボ２６をさらに所定量開いて（ステップＳ１０８）、ステップＳ１０５に移行する。ステップＳ１０５において制御部４５は、水量サーボ２６の開度を上げた後の水量に対応する目標加熱量ＨＡを算出し、その目標加熱量ＨＡでバーナー部１８を燃焼させて注湯を行う。
【００６９】
流量センサ２９の検出水量ＱＴがターゲット水量ＱＴＡになった場合（ステップＳ１０６；Ｎｏ）もしくは流量センサ２９の検出水量ＱＴがターゲット水量ＱＴＡ未満であるが水量サーボ２６が既に全開の場合は（ステップＳ１０７；Ｙｅｓ）、現在の検出流量が、低水量と判定する基準流量以下か否かを判定する（ステップＳ１０９）。ここでは、９リットル／分以上か否かを判定する。
【００７０】
流量センサ２９の検出水量ＱＴが９リットル／分を超える場合は、低水量でないので、注湯動作は風呂往き管１６と風呂戻り管１７との双方に湯が十分流れる両モードで行われる。そこで、流量センサ２９の検出水量ＱＴが９リットル／分を超える場合は（ステップＳ１０９；Ｎｏ）、推定吸熱分配比ＲＡを両モードの値（図２の場合、０．５）に固定設定し（ステップＳ１１０）、図５のステップＳ１１２へ移行する。なお、推定吸熱分配比ＲＡを固定設定した場合は、その後の処理で推定吸熱分配比ＲＡの値は変更されない。
【００７１】
流量センサ２９の検出水量ＱＴが９リットル／分以下ならば（ステップＳ１０９；Ｙｅｓ）、推定吸熱分配比ＲＡを両モードの値に仮設定して（ステップＳ１１１）図５のステップＳ１１２へ移行する。仮設定の場合、推定吸熱分配比ＲＡの値は以後の処理で変更され得る。
【００７２】
図５のステップＳ１１２では、制御部４５は、風呂往き温度センサ４２の検出温度が設定温度ＴＡ未満か否かを判定し、風呂往き温度センサ４２の検出温度が設定温度ＴＡ以上の場合は（ステップＳ１１２；Ｎｏ）、推定吸熱分配比ＲＡを、両モードの値に維持して、ステップＳ１１７へ移行する。
【００７３】
風呂往き温度センサ４２の検出温度が設定温度ＴＡ未満であれば（ステップＳ１１２；Ｙｅｓ）、風呂往き管１６に湯が流れていないと判定して、推定吸熱分配比ＲＡを片モード１の値に変更して仮設定する（ステップＳ１１３）。なお、この場合、風呂往き温度センサ４２の検出温度が設定温度以上か否かを判定するステップＳ１１４では必ず「Ｎｏ」となり、ステップＳ１１７へ移行する。
【００７４】
ステップＳ１１７では、現在設定されている推定吸熱分配比ＲＡを使用して推定給水温度ＴＷを式４にて算出し、その算出した推定給水温度ＴＷが適正温度か否かに基づいて、搬送モード（すなわち、推定吸熱分配比ＲＡ）を見直す処理が行われる。
【００７５】
詳細には、現在設定されている推定吸熱分配比ＲＡを使用して推定給水温度ＴＷを式４にて算出し、該推定給水温度ＴＷに基づいて、オフ流量Ｑmin［リットル／分］を以下の式７で求める。
【００７６】
オフ流量Ｑmin＝Ｈmin×η／（ＴＡ−ＴＷ）  …式７
ここで、Ｈmin［Ｋｃａｌ／ｈ］は、当該一缶二水路型風呂給湯器１０における最低加熱量である。オフ流量は、最低加熱量で加熱した場合に注湯温度が設定温度ＴＡになる流量である。
【００７７】
流量センサ２９が現在検出している流量ＱＴが、算出したオフ流量Ｑmin以下の場合は、バーナー部１８を消火しなければならないことになる。すなわち、バーナー部１８を最低加熱量で燃焼させても注湯温度が風呂の設定温度を超えてしまうことを意味する。現在の検出流量ＱＴが、式７で算出されたオフ流量Ｑmin以下になるのは、式４で算出した推定給水温度ＴＷが異常に高い（図３の「不適正（設定温度以上）」に該当する）場合であり、該ＴＷの算出時に使用した推定吸熱分配比ＲＡが間違っていて、実際より小さい値であったと判定できる。
【００７８】
このような間違いが生じるのは、両モードの推定吸熱分配比「０．５」を使用して推定給水温度ＴＷを式４で算出したが、実際は風呂往き管１６に少量の湯しか流れていない場合である。そこで、流量センサ２９が現在検出している流量ＱＴが、算出したオフ流量Ｑmin以下の場合は（ステップＳ１１８；Ｎｏ）、推定吸熱分配比ＲＡを、風呂往き管１６に少量の湯が流れている場合の搬送モードである片モード２の値に固定設定して（ステップＳ１１９）、ステップＳ１２０へ移行する。
【００７９】
流量センサ２９の検出している水量ＱＴが、算出したオフ流量Ｑminより多い場合は（ステップＳ１１８；Ｙｅｓ）、推定給水温度ＴＷの算出に使用した推定吸熱分配比ＲＡは間違っていないと判定し、そのままにして、ステップＳ１２０へ移行する。
【００８０】
ステップＳ１２０では、加熱量が安定しているか否かを判定し、安定している場合は（ステップＳ１２０；Ｙｅｓ）、現在設定されている推定吸熱分配比ＲＡを使用して式４により推定給水温度ＴＷを算出し、記憶部に記憶されている推定給水温度ＴＷを算出したＴＷに更新する（ステップＳ１２１）。そして、更新後の推定給水温度ＴＷと、現在の水量ＱＴと、設定温度ＴＡとから式５により目標加熱量ＨＡを求め、該目標加熱量ＨＡでバーナー部１８を燃焼させて注湯動作を行って（ステップＳ１２２）、ステップＳ１２３へ移行する。
【００８１】
加熱量が安定していない場合は（ステップＳ１２０；Ｎｏ）、推定給水温度ＴＷを更新せずに、ステップＳ１２３へ移行する。
【００８２】
ステップＳ１２３では、浴槽３への注湯動作が完了（目標水位に到達）したか否かを判定し、未完了の場合は（ステップＳ１２３；Ｎｏ）、現時点の推定吸熱分配比ＲＡが両モード固定または片モード２固定であるかを判定する（ステップＳ１２４）、両モード固定または片モード２固定であれば（ステップＳ１２４；Ｙｅｓ）、ステップＳ１２０へ移行する。すなわち、推定吸熱分配比ＲＡが固定設定されている場合は、現在の推定吸熱分配比ＲＡを使用して以後の注湯動作を行う。
【００８３】
両モード固定でも片モード２固定でもない場合は（ステップＳ１２４；Ｎｏ）、現在の推定吸熱分配比ＲＡを見直す可能性があるので、ステップＳ１１６へ移行する。
【００８４】
ステップＳ１１６では、現在の推定吸熱分配比ＲＡが片モード１の値か否かを判定する。片モード１であれば（ステップＳ１１６；Ｙｅｓ）、風呂往き温度センサ４２の温度が設定温度以上か否かを判定する（ステップＳ１１４）。風呂往き温度センサ４２の温度が設定温度未満であれば（ステップＳ１１４；Ｎｏ）、片モード１は正しいので、そのまま維持してステップＳ１１７へ移行して処理を継続する。
【００８５】
風呂往き温度センサ４２の温度が設定温度以上の場合は（ステップＳ１１４；Ｙｅｓ）、風呂往き管１６に湯が流れているので、推定吸熱分配比ＲＡを両モードの値に仮設定して（ステップＳ１１５）、再度ステップＳ１１６へ移行する。この場合、ステップＳ１１６；Ｎｏ、ステップＳ１１２；ＮｏとなってステップＳ１１７へ移行することになる。つまり、推定吸熱分配比ＲＡを両モードの値に仮設定してステップＳ１１７以後の処理を継続することになる。
【００８６】
以上のような処理を行う中で注湯完了になると（ステップＳ１２３；Ｙｅｓ）、制御部４５は注湯電磁弁２５を閉じて（ステップＳ１２５）、バーナー部１８を消火し、注湯動作を終了させる。
【００８７】
その後、浴槽３内の水温が設定温度になるまで、追い焚き動作を行い（ステップＳ１２６）、設定温度まで昇温したら湯張り動作を終了する（エンド）。
【００８８】
このように、本発明の一缶二水路型風呂給湯器１０では、風呂往き温度センサ４２の検出温度に基づいて風呂往き管１６に湯が流れているか否かを判定し、さらに、湯が流れていると判定した場合には、両モードの推定吸熱分配比ＲＡを仮設定して式４で推定給水温度ＴＷを求め、このＴＷが適正温度（設定温度以下）か否かに基づいて風呂往き管１６内の湯の流量が少量か否かを判定する。そして、この判定結果が示す流量に応じた推定吸熱分配比ＲＡを使用して推定給水温度ＴＷを求めてＦＦ加熱量を制御する。
【００８９】
これにより、誤った推定吸熱分配比ＲＡを使用して誤った推定給水温度ＴＷを算出した結果、注湯動作中にバーナーを消火したり、燃焼量を必要以上に絞ったりする、といった動作が防止される。これにより、浴槽３に湯張りされる湯の温度が設定温度に近づき、注湯動作後の追い焚き時間を短縮することができる。
【００９０】
＜第２の実施の形態＞
第１の実施の形態では、風呂往き管１６に通水があるか否かを、風呂往き温度センサ４２の検出温度と風呂の設定温度ＴＡとを比較して判定したが（ステップＳ１１２、Ｓ１１４）、第２の実施の形態では、比較する風呂の設定温度にヒステリシスを与えている。
【００９１】
また、第１の実施の形態では、推定給水温度ＴＷを基準に求めたオフ流量Ｑminが現在検出される流量ＱＴより多い場合に（ステップＳ１１８；Ｎｏ）、搬送モードを片モード２に変更する（ステップＳ１１９）ようにしたが、第２の実施の形態では、さらに熱交温度センサ４１が所定の上限温度を超える場合も、搬送モードを片モード２に変更するようになっている（図６のステップＳ２０６）。その他は第１の実施の形態と同様である。
【００９２】
第２の実施の形態では、図４の処理の後、結合子Ｂへ移行して図６の処理を行う。なお、図６では、図５と同一処理のステップには同一のステップ番号を与えてあり、それらの説明は適宜省略する。
【００９３】
図６の処理（結合子Ｂ以降の処理）では、制御部４５は、風呂往き温度センサ４２の検出温度が「設定温度ＴＡ＋Ｋｈ温度１×（設定温度ＴＡ−風呂温度）」以下か否かを判定し（ステップＳ２０１）、風呂往き温度センサ４２の検出温度が「設定温度ＴＡ＋Ｋｈ温度１×（設定温度ＴＡ−風呂温度）」以下でなければ（ステップＳ２０１；Ｎｏ）、ステップＳ２０５へ移行する。
【００９４】
風呂往き温度センサ４２の検出温度が「設定温度ＴＡ＋Ｋｈ温度１×（設定温度ＴＡ−風呂温度）」以下であれば（ステップＳ２０１；Ｙｅｓ）、風呂往き管１６に湯が流れていないと判定して、推定吸熱分配比ＲＡを片モード１の値に変更して仮設定する（ステップＳ２０２）。その後、風呂往き温度センサ４２の検出温度が「設定温度ＴＡ＋Ｋｈ温度２×（設定温度ＴＡ−風呂温度）」以上か否かを判定し（ステップＳ２０３）、風呂往き温度センサ４２の検出温度が「設定温度ＴＡ＋Ｋｈ温度２×（設定温度ＴＡ−風呂温度）」以上であれば（ステップＳ２０３；Ｙｅｓ）、推定吸熱分配比ＲＡを両モードの値に仮設定するように戻して（ステップＳ２０４）、ステップＳ２０１へ移行する。
【００９５】
風呂往き温度センサ４２の検出温度が「設定温度ＴＡ＋Ｋｈ温度２×（設定温度ＴＡ−風呂温度）」以上でなければ（ステップＳ２０３；Ｎｏ）、ステップＳ２０５へ移行する。
【００９６】
なお、Ｋｈ温度１＜Ｋｈ温度２とする。
（Ｋｈ温度２−Ｋｈ温度１）×（設定温度ＴＡ−風呂温度）は、ヒステリシスの幅である。
【００９７】
また、風呂温度は、搬送モードに応じた流量比を用いて、以下の式８により算出する。
風呂温度＝Ｔout×ＱＡ＋ＢＡgo×（１−ＱＡ）    …式８
ＱＡは、図２に示す推定流量比ＱＡである。ＢＡgoは、風呂往き管１６から浴槽３へ注がれる湯の温度であり、以下の式９で求める。
ＢＡgo＝Ｔout＋（Ｈout×２５×（１−ＲＡ）／(ＱＴ×（１−ＱＡ）)）    …式９
【００９８】
ステップＳ２０５では、現在設定されている推定吸熱分配比ＲＡを使用して推定給水温度ＴＷを式４にて算出し、該推定給水温度ＴＷに基づいて、オフ流量Ｑmin［リットル／分］を前述の式７で求める。なお、ステップＳ２０５の処理は図５のステップＳ１１７と同一である。
【００９９】
熱交温度センサ４１の検出温度Ｔoutが予め定めた上限温度より高い場合、もしくは流量センサ２９が現在検出している流量ＱＴが算出したオフ流量Ｑmin以下の場合は（ステップＳ２０６；Ｙｅｓ）、推定吸熱分配比ＲＡを片モード２の値に固定設定して（ステップＳ１１９）、ステップＳ１２０へ移行する。前記上限温度はバーナー部１８の消火を必要とするほどの高温に設定されている。
【０１００】
熱交温度センサ４１の検出温度Ｔoutが予め定めた上限温度より高くなく、かつ流量センサ２９の検出している水量ＱＴが、算出したオフ流量Ｑmin以上の場合は（ステップＳ２０６；Ｎｏ）、ステップＳ１２０へ移行する。
【０１０１】
このように、ヒステリシスを与えて判定することで、判定の境界温度（図５のステップＳ１１２，１１４では設定温度ＴＡ）付近における判定結果の頻繁な変動を防ぐことができる。また、熱交温度センサ４１が所定の上限温度を超えた場合（図６のステップＳ２０６；Ｙｅｓ）も搬送モードを片モード２に変更するようにしたので、高温の湯が浴槽３に注がれることが防止される。
【０１０２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０３】
たとえば、図２に示す推定吸熱分配比ＲＡや推定流量比ＱＡの値は一例であり、これらに限定されるものではなく、機器の特性に応じて設定すればよい。また、バーナー部１８での燃焼面を切り替え可能になっている場合は、燃焼させる燃焼面の位置や数に対応させて各搬送モードにおける推定吸熱分配比ＲＡを切り替えるようにするとよい。
【０１０４】
また、実施の形態では、推定吸熱分配比ＲＡを固定設定する場合と仮設定する場合を設けたが、仮設定のみとし、常に推定吸熱分配比ＲＡを見直す処理を行うようにしてもよい。
【０１０５】
また、実施の形態では搬送モードとして、両モード、片モード１、片モード２を設けたが、両モードと片モード１のみとしてもよい。すなわち、風呂往き温度センサ４２の検出温度に基づく判定のみで、搬送モード（つまり、推定吸熱分配比ＲＡ）を決定するようにしてもよい。
【０１０６】
実施の形態（図５のステップＳ１１８または図６のステップＳ２０６）では、推定吸熱分配比ＲＡを使用して式４で推定給水温度ＴＷを求め、このＴＷから算出したオフ流量Ｑminと現在の水量ＱＴとの比較から搬送モードを片モード２とするか否かを判定したが、これは「式４で求めた推定給水温度ＴＷが異常に高い」ことを、ＴＷから算出したオフ流量Ｑminが現在の検出水量ＱＴより少ないことを持って判定したものであり、推定給水温度ＴＷを基準温度（たとえば、設定温度）と比較し、温度から直接判定するようにしてもよい。
【０１０７】
注湯動作中に風呂往き管１６に湯が流れているか否かを風呂往き温度センサ４２の検出温度と設定温度（あるいはこれにヒステリシスを持たせた温度）との比較により判定したが、設定温度に代えて熱交温度センサ４１の検出温度あるいは風呂戻り温度センサ４３の検出温度と比較してもよい。要するに風呂戻り管１７から浴槽３へ流れる湯に比べて風呂往き管１６から浴槽３へ流れる湯は追い焚き用水管１４ｂでさらに加熱されて温度が高くなるので、そのような高い温度の湯が風呂往き温度センサ４２によって検出されるか否かに基づいて、風呂往き管１６に湯が流れているか否かを判定すればよい。
【０１０８】
なお、注湯動作中に風呂往き管１６に湯が流れているか否かを風呂往き温度センサ４２の検出温度に基づいて判定する技術の用途は、実施の形態で示すもの、すなわち、推定吸熱分配比ＲＡを推定してＦＦ燃焼量を制御する場合に限定されない。たとえば、浴槽の水位をより的確に検出等するために、風呂往き管１６側の湯の流れ具合を注湯動作中に検出する用途などにも利用できる。
【０１０９】
例えば、風呂往き管１６と連結管２４との交点より風呂戻り管１７側に圧力センサを設ける場合がある。風呂戻り管１７側に湯が流れている場合には、注湯終了後圧力センサの前後配管（風呂往き管１６と風呂戻り管１７の両方）ともに湯水で満たされているので圧力センサの検出値を信用することができる。しかし、風呂往き管１６の連結管２４との交点より風呂戻り管１７側に湯水が満たされていない場合には、圧力センサの検出値を信用できない。従来は、注湯動作中に風呂戻り管１７側に湯水が流れているか否かを認識できなかったので、注湯終了後、圧力センサでの検出の前に、循環ポンプ３１を所定時間以上作動させて風呂往き管１６と風呂戻り管１７に湯水が確実に満たされる状態を作り出すという準備動作が必要であった。本発明の技術、すなわち、注湯動作中に風呂往き管１６に湯が流れているか否かを風呂往き温度センサ４２の検出温度に基づいて判定する技術を使用すれば、注湯動作後に風呂往き管１６が湯水で満たされているか否かを認識できるので、既に満たされている場合には上述の準備動作は不要になる。
【０１１０】
なお、実施の形態では、一缶二水路型の熱交換器としたが、より多くの水管が熱交換器を通る一缶多水型の熱交換器を使用する風呂給湯器にも本発明は適用される。すなわち、給湯、追い焚き以外に第３の熱交換用水管が熱交換器を通る構成であっても、第３の熱交換用水管での吸熱量を考慮して、各搬送モードでの推定吸熱分配比ＲＡを設定すればよい。
【０１１１】
実施の形態では、熱交温度センサ４１の検出温度をＴoutとして各演算を行ったが、風呂戻り温度センサ４３の検出温度をＴoutに使用してもよい。
【符号の説明】
【０１１２】
３…浴槽
１０…一缶二水路型風呂給湯器
１１…給水管
１２…給湯管
１４…熱交換器
１４ａ…給湯用水管
１４ｂ…追い焚き用水管
１６…風呂往き管
１７…風呂戻り管
１８…バーナー部
１９…ガス供給管
２１…ガス弁
２２…比例弁
２４…連結管
２５…注湯電磁弁
２６…水量サーボ
２７…バイパス管
２８…バイパス調整弁
２９…流量センサ
３１…循環ポンプ
３２…流水スイッチ
４１…熱交温度センサ
４２…風呂往き温度センサ
４３…風呂戻り温度センサ
４５…制御部
４８…操作パネル
６０…搬送モード表
７０…判定条件表
【図１】
0005752944.tif 000002
【図２】
0005752944.tif 000003
【図３】
0005752944.tif 000004
【図４】
0005752944.tif 000005
【図５】
0005752944.tif 000006
【図６】
0005752944.tif 000007